(57)【特許請求の範囲】
【請求項１】
振出口が形成されている天面と、該天面の周縁部から下方に垂下している周状側壁とから成り、前記天面には、該振出口を覆う様に金属箔が接着されており、前記周縁部の内面側にはライナー材が設けられ接着保持されている金属製振出口付容器蓋において、
前記天面には、前記周状側壁から天面周縁部を通って振出口まで延びているスコアによって区画された舌片が設けられており、
前記ライナー材と天面周縁部とは、前記スコアに沿った部分のみにおいて、非接着乃至弱接着となっており、
前記周状側壁には、少なくとも２個以上のスリットが形成されていることを特徴とする金属製振出口付容器蓋。
【請求項２】
前記舌片を二等分するような中心線と直交する中心線を基準として、該舌片とは反対側に位置する半面部の周状側壁に２個のスリットが対称的に設けられている請求項１に記載の振出口付容器蓋。
【発明の詳細な説明】
【０００１】
【産業上の利用分野】
本発明は、振出口を有する金属製容器蓋に関するものであり、特にその分別廃棄性を改善した容器蓋に関するものである。
【０００２】
【従来の技術】
フリカケ等を収容したビン等の容器には、内容物の振り出しを行うために振出口付の金属製容器蓋が広く使用されている。この容器蓋は、振出口が形成されている天面と、該天面の周縁部から下方に垂下している周状側壁とから成るものであり、上記天面には、該振出口を覆う様に金属箔が接着されており、上記周縁部の内面側にはライナー材が設けられている（例えば実公平３−３３６３７号公報参照）。
【０００３】
また、最近になって各種の廃棄物の処理が重要な環境問題となっており、廃棄物の焼却処理性や再利用等の見地から、廃棄物を分別回収することが要求されている。従って、上述した振出口付の金属製容器蓋も、容器口部から取り外して回収することが望まれている。
【発明が解決しようとする課題】
【０００４】
然しながら、従来の振出口付の金属製容器蓋は、その天面周縁部から側壁部にかけて容器口部にかしめられて強固に固定されているため、容器口部からの取り外しが容易でないという問題がある。一般的には、振出口に棒状の工具を挿入して無理やり取り外しを行わざるを得ず、棒状の工具等の格別の部材を必要とし、また大きな力を要し、容易に取り外しを行うことができない。
【０００５】
従って本発明の課題は、容器口部からの取り外しを極めて容易に行うことが可能な分別廃棄性の良好な金属製振出口付容器蓋を提供することにある。
【０００６】
【課題を解決するための手段】
本発明によれば、振出口が形成されている天面と、該天面の周縁部から下方に垂下している周状側壁とから成り、前記天面には、該振出口を覆う様に金属箔が接着されており、前記周縁部の内面側にはライナー材が設けられ接着保持されている金属製振出口付容器蓋において、
前記天面には、前記周状側壁から天面周縁部を通って振出口まで延びているスコアによって区画された舌片が設けられており、
前記ライナー材と天面周縁部とは、前記スコアに沿った部分のみにおいて、非接着乃至弱接着となっており、
前記周状側壁には、少なくとも２個以上のスリットが形成されていることを特徴とする金属製振出口付容器蓋が提供される。
【０００７】
以下、本発明を添付図面に示す具体例に基づいて詳細に説明する。
図１は、本発明の振出口付容器蓋の斜視図であり、図２は、図１の容器蓋の側断面を容器口部とともに示す図であり、図３は、図１の容器蓋の平面図であり、図４は、図１の容器蓋を容器口部から取り外す作業行程を示す図である。
【０００８】
図１乃至図３において、この容器蓋は、天面１と、天面の周縁部２から垂下した周状側壁部３とから成っており、周縁部２の内面にはライナー材４が接着固定されている。即ち、この蓋は、天面の周縁部２から周状側壁部３にかけて容器の口部５０にかしめられて容器に固定されるものである。
【０００９】
また天面１には、振出口５が形成されており、アルミ箔等の金属箔６が振出口５を覆う様に接着固定されている。即ち、金属箔６を引き剥して振出口５から内容物の振り出しが行われる。尚、図１では、金属箔６を省略してある。
【００１０】
本発明においては、天面１に舌片１０が設けられており、この舌片１０を持って容器蓋の容器口部５０からの取り外しを容易に行い得るようになっている。即ち、舌片１０は、周縁部２から振出口５まで延びている２本のスコア11,11 によって区画されており、その先端部分には振出口５内に突出した把持部10ａが形成されている。この把持部10ａは、指等を傷つけないようにするためにカール加工されていることが好適である。また上記のスコア11,11 は、周状側壁部３にまで延びている。
【００１１】
一方、周状側壁３には、舌片１０を二等分するような中心線Ｘと直交する中心線Ｙを基準として、該舌片１０とは反対側に位置する半面部の周状側壁２に２個のスリット13,13 が対称的に設けられている。この場合、周状側壁部３におけるスコア11,11 とスリット13,13 との間にさらに別のスリット14,14 を対称的に設けることが好ましい。
【００１２】
かかる本発明の容器蓋の取り外し作業行程を示す図４において、先ず金属箔６が引き剥された状態にある容器蓋〔（Ａ）〕の舌片１０の先端把持部10ａを手で持って引き上げる。これにより、天面部のスコア11,11 が破断して舌片１０がめくれた状態となる〔（Ｂ）〕。
【００１３】
次いで、めくれた舌片１０を引き上げると、周縁部及び周状側壁部のスコア11,11 が破断し、舌片１０がライナー材を除く他の部分から分離された状態となるが、舌片１０の根元部分（天面１の周縁部）にはライナー材４が接着している〔（Ｃ）〕。即ち、スコア11,11 が破断した状態にあるものの、舌片１０はライナー材４を介して他の部分と接合した状態にあるため、舌片１０が容器蓋から離脱することはない。
【００１４】
従って、めくれた舌片１０をさらに引き上げると、ライナー材４を介して他の部分も引き上げられて容器口部（図４において図示せず）から離脱し、スリット13,13 が引き裂かれ、容器蓋は、スリット13,13 を結ぶ直線Ｚを支点として折れ曲がる〔（Ｄ）〕。ここで、スリット13,13 は舌片１０とは反対側に位置する半面部に形成されているので、容器蓋を容易に容器口部から取り外すことが可能となるものである。
【００１５】
上記において、スコア11,11 とスリット13,13 との間にさらに別のスリット14,14 を設けておけば、特に容器蓋が大きい場合にも、容器蓋を容器口部から取り外す際に、容器蓋と容器口部との係合力が低減するので、容器蓋の取り外しを容易に行い得ることが理解されよう。
【００１６】
上述した本発明において、ライナー材４は天面周縁部２の内面に接着固定されているものであるが、スコア１１，１１が形成されている部分においてのみ天面周縁部２と非接着乃至弱接着状態となるように設けられている。即ち、ライナー材４がスコアが形成されている部分においても天面周縁部２と完全に接着していると、前記工程（Ｃ）において周縁部２上のスコア１１，１１を破断する際にライナー材４も同時に破断してしまうことがある。ライナー材４が破断すると、舌片１０は容器蓋から離脱してしまうため、残った部分を容器口部から取り外すことが困難となってしまう。上記のように非接着乃至弱接着領域を設けておけば、ライナー材４破断することなくスコア１１，１１が容易に破断するので、そのようなトラブルを有効に防止することが可能となるのである。
【００１７】
上記のような非接着乃至弱接着領域の形成は容易に行うことができる。例えばライナー材４は、成形加工前の板状金属素材に接着塗料等が施され、容器蓋形状に成形加工された後、天面周縁部２の内面にライナー素材を滴下して形成されるが、接着塗料等が施された板状金属素材におけるスコア11,11 が形成される部分をワックス等の離型材でマスキングしておけばよい。また、このような非接着乃至弱接着領域（図３において２０で示す）の幅ｗは、舌片１０とライナー材４との接着が損なわれず且つスコア11,11 の破断が容易に行い得る限りにおいて、特に制限はないが、通常１０mm程度である。
【００１８】
さらに舌片１０の大きさは、容器蓋の大きさによっても異なるが、通常、スコア１１と直線Ｘ（図３参照）とのなす角θが２０乃至４０度の範囲とすることが好ましい。即ち、この角θがあまり小さいと、めくれた舌片１０を持っての容器蓋の取り外しを容易に行うことができず、また大きすぎると、舌片１０のめくりに際してスコア11,11 の破断を容易に行うことができなかったり、脱線を生じたりすることがあるので注意を要する。
【００１９】
また本発明においては、舌片１０のめくり作業を適当な工具でも容易に行うために、例えば先端把持部10ａに、適当な大きさの孔２１を形成しておくことができる。このような孔２１を設けておけば、これに棒状の工具、例えば箸等を差し込んで舌片１０のめくりを更に容易に行うことができる。
【００２０】
本発明の振出口付容器蓋においては、上述した舌片、スコア及びスリットを設けておくことを除けば、従来公知のものと同様の構造とすることができる。例えば、金属箔６の剥離を容易に行うために、舌片１０の内部に適当な凹部２２を設けておき、該凹部２２内に金属箔６の剥離開始用端部が位置するようにすることができる。これによれば、金属箔６を容易に掴むことができ、金属箔６の剥離をスムーズに行うことができる。
【００２１】
【発明の効果】
本発明の振出口付金属製容器蓋は、容器口部からの取り外しを、格別の工具を用いることなく容易に行うことが可能であり、分別廃棄性の点で極めて有利である。
【図面の簡単な説明】
【図１】本発明の振出口付容器蓋の斜視図。
【図２】図１の容器蓋の側断面を容器口部とともに示す図。
【図３】図１の容器蓋の平面図。
【図４】図１の容器蓋を容器口部から取り外す作業行程を示す図。
【符号の説明】
１：天面
２：天面周縁部
３：周状側壁
４：ライナー材
５：振出口
６：金属箔
１０：舌片
１１：スコア
１３：スリット
１４：スリット
２０：非接着乃至弱接着領域
【図１】
0003719722.tif 000002
【図２】
0003719722.tif 000003
【図３】
0003719722.tif 000004
【図４】
0003719722.tif 000005